【手続補正書】
【提出日】平成16年9月27日(2004.9.27)
【手続補正１】
【補正対象書類名】明細書
【補正対象項目名】特許請求の範囲
【補正方法】変更
【補正の内容】
【特許請求の範囲】
【請求項１】  番組コンテンツを提供するためのサーバと、ネットワークを介して該サーバと通信するために動作可能なクライアントと、該番組コンテンツのコピーを格納するために動作可能なキャッシングサーバとを含む該ネットワークに該番組コンテンツを配信するための方法であって、
該クライアントが該番組コンテンツを受信する権利が与えられるかどうかを規定する規則を構築するステップと、
該ネットワーク上に該規則を格納するステップと、
該クライアントが該ネットワークから該番組コンテンツをリクエストすることを可能にするステップと、
該番組コンテンツを復号化するために該クライアントに鍵を配信する前に、該クライアントが該番組コンテンツを受信する権利を与えられるかどうかを決定するように少なくとも１つの該クライアントの資格授与特性を記述するレコードと該規則を比較するステップと
該キャッシングサーバによる使用を経て該番組コンテンツをマルチキャスティングするステップと
を含む、ネットワークに番組コンテンツを配信するための方法。
【請求項２】  前記規則は支払方法から構成される、請求項１に記載のネットワークに番組コンテンツを配信するための方法。
【請求項３】  前記規則は加入支払識別子から構成される、請求項１に記載のネットワークに番組コンテンツを配信するための方法。
【請求項４】  前記規則は前記番組コンテンツが送達されるべき位置に基づいた制限から構成される、請求項１に記載のネットワークに番組コンテンツを配信するための方法。
【請求項５】  前記規則はユーザのためのコンテンツ格付けに基づいた制限からなる、請求項１に記載のネットワークに番組コンテンツを配信するための方法。
【請求項６】  前記少なくとも１つの資格授与特性は、前記クライアントの物理的な位置を示す情報を含む、請求項１に記載のネットワークに番組コンテンツを配信するための方法。
【請求項７】  前記少なくとも１つの資格授与特性は、前記クライアントに与えられた少なくとも１つのサービスを示す情報を含む、請求項１に記載のネットワークに番組コンテンツを配信するための方法。
【請求項８】  前記少なくとも１つの資格授与特性は、キャッシングサーバを用いて前記クライアントを認証する際に使用するためのデータを含む、請求項１に記載のネットワークに番組コンテンツを配信するための方法。
【請求項９】  前記少なくとも１つの資格授与特性は、前記クライアントによってチケットに格納される、請求項１に記載のネットワークに番組コンテンツを配信するための方法。
【請求項１０】  前記少なくとも１つの資格授与特性は、前記クライアントから前記キャッシングサーバに伝達される、請求項１に記載のネットワークに番組コンテンツを配信するための方法。
【請求項１１】  前記クライアントが前記少なくとも１つの資格授与特性を変更することを許可しないステップをさらに含む、請求項１に記載のネットワークに番組コンテンツを配信するための方法。
【請求項１２】  前記クライアントが前記少なくとも１つの資格授与特性を変更することを防ぐように前記少なくとも１つの番組コンテンツを暗号化するステップをさらに含む、請求項１に記載のネットワークに番組コンテンツを配信するための方法。
【請求項１３】  前記クライアントの前記少なくとも１つの資格授与特性を記述する前記レコードと前記規則を比較する前に、前記番組コンテンツをマルチキャストするステップが開始される、請求項１に記載のネットワークに番組コンテンツを配信するための方法。
【請求項１４】  番組コンテンツを格納するためのサーバと、ネットワークを介して該サーバと通信するために動作可能なクライアントと、該番組コンテンツのコピーを格納するために動作可能なキャッシングサーバとを含む該ネットワークに該番組コンテンツを配信するための方法であって、
該クライアントが該番組コンテンツを受信する権利が与えられるかどうかを規定する規則を構築するステップと、
該クライアントが該サーバから該番組コンテンツをリクエストすることを可能にするステップと、
該番組コンテンツのために該クライアントからのリクエストをサーバにて受信するステップと、
該番組コンテンツおよび該番組コンテンツのための該規則を識別する識別子を含むデータレコードをフォーマットするステップと
を含む、ネットワークに番組コンテンツを配信するための方法。
【請求項１５】  前記データレコードを認証するステップをさらに含む、請求項１４に記載のネットワークに番組コンテンツを配信するための方法。
【請求項１６】  前記キャッシングサーバが前記データレコードを認証することを可能にするように該データレコードを署名するステップをさらに含む、請求項１４に記載のネットワークに番組コンテンツを配信するための方法。
【請求項１７】  前記データレコードを認証するステップは、
信頼された第三者を利用して、前記データレコードを署名する際に使用するために前記サーバに認証鍵を提供し、該データレコードを認証する際に使用するための前記キャッシングサーバに検証鍵を提供するステップを含む、請求項１６に記載のネットワークに番組コンテンツを配信するための方法。
【請求項１８】  前記データレコードを前記クライアントに伝達するステップをさらに含む、請求項１４に記載のネットワークに番組コンテンツを配信するための方法。
【請求項１９】  前記データレコードを署名するステップと、
該署名されたデータレコードを前記クライアントに伝達するステップと
をさらに含む、請求項１４に記載のネットワークに番組コンテンツを配信するための方法。
【請求項２０】  前記データレコードを署名するステップと、
該署名されたデータレコードを前記クライアントに伝達するステップと、
該署名されたデータレコードを該クライアントから前記キャッシングサーバに伝達するステップと
をさらに含む、請求項１４に記載のネットワークに番組コンテンツを配信するための方法。
【請求項２１】  前記データレコードを署名するステップと、
該署名されたデータレコードを該サーバから前記キャッシングサーバに伝達するステップと
をさらに含む、請求項１４に記載のネットワークに番組コンテンツを配信するための方法。
【請求項２２】  前記データレコードを署名するステップと、
該署名されたデータレコードを前記クライアントに伝達するステップと、
該署名されたデータレコードを該クライアントから前記キャッシングサーバに伝達するステップと
前記番組コンテンツを識別する識別子を該クライアントから該キャッシングサーバに伝達するステップと、
該キャッシングサーバにおいて該データレコードを認証するステップと、
該キャッシングサーバが、該クライアントが該番組コンテンツを受信する権利が与えられたかどうかを決定することを可能にするステップと
をさらに含む、請求項１４に記載のネットワークに番組コンテンツを配信するための方法。
【請求項２３】  サーバと、ネットワークを介して該サーバと通信するために動作可能なクライアントと、該番組コンテンツのコピーを格納するために動作可能なキャッシングサーバとを含む該ネットワークに該番組コンテンツを配信するための方法であって、
該クライアントが該番組コンテンツに権利が与えられるかどうかを決定する際に使用するために、該クライアントに対するデータレコードを受信するステップと、
該クライアントが該番組コンテンツに権利が与えられるかどうかを決定するように該キャッシングサーバによる使用のために該番組コンテンツに関連付けられた規則を受信するステップと、
該クライアントが該番組コンテンツに権利が与えられるかどうかを決定するように該データレコードおよび該規則を利用するステップと、
該番組コンテンツをマルチキャスティングするステップと
を含む、ネットワークに番組コンテンツを配信するための方法。
【請求項２４】  前記番組材料を前記クライアントに伝達するステップをさらに含む、請求項２３に記載のネットワークに番組コンテンツを配信するための方法。
【請求項２５】  信頼された第三者から受信された鍵を用いて前記データレコードを復号化するステップをさらに含み、該信頼された第三者は前記キャッシングサーバおよび前記サーバに対して信頼された第三者である、請求項２３に記載のネットワークに番組コンテンツを配信するための方法。
【請求項２６】  前記クライアントに対する前記データレコードを受信するステップは、該クライアントから該データレコードを受信するステップを含む、請求項２３に記載のネットワークに番組コンテンツを配信するための方法。